(57)【要約】【課題】シャッターカーテンを巻き取る際や繰り出す際に、各シャッタースラット同士で傷や変形を起こすことなく、また、シャッターカーテンの巻取収納時や繰り出し時に、各シャッタースラットの擦れ合いによる騒音の発生を低減させる。【解決手段】巻取時に内側面となるスラット本体７の裏面８に突出し、隣接する他のシャッタースラット１に向いて開口する断面略Ｃ字形状の第一の係合部９と、スラット本体７に斜めに延出して形成され、隣接する他のシャッタースラット１の第一の係合部９の内側に嵌入する第二の係合部１１と、第一の係合部９の外側面９ｃを被覆する合成樹脂製のカバー２９とを具備するとともに、カバー２９は、第一の係合部９の外側面９ｃを被覆する被覆部３０と、第二の係合部１１の先端縁１１ａが当接する第一の係合部２９の係合縁１３及び屈曲部１２を被覆する当接被覆部３１とを備える構成とする。【選択図】　　　　図３
2004084162.tif 000002
【特許請求の範囲】
【請求項１】
平板状に形成される短冊板形状のスラット本体が、長辺部同士で可動可能に連結されるシャッタースラットの構造であって、
巻き取り時に内側面となるスラット本体の一方の面に突出し、該スラット本体の一方の長辺部に沿って形成され、該一方の長辺部を兼ねる一方の開口縁部と、該一方の開口縁部と対向する他方の開口縁部とを有し、該他方の開口縁部に前記一方の開口縁部より内方に向かって屈曲部を介して係合縁が延設され、隣接する他のシャッタースラットに向いて開口する奥拡がりな断面略Ｃ字形状の第一の係合部と、
前記スラット本体の他方の長辺部に沿い、前記スラット本体の一方の面側に該スラット本体の板面に対して斜めに延出して形成され、隣接する他のシャッタースラットの第一の係合部の内側に嵌入するとともに、前記スラット本体の一方の面側に折り返し略Ｖ字状に折曲形成され、先端縁が前記第一の係合部内にて屈曲部に当接し前記係合縁と係合しあう第二の係合部と、
前記第一の係合部の外側面を被覆する合成樹脂製のカバーと、
を具備することを特徴とするシャッタースラットの構造。
【請求項２】
前記カバーは、前記第一の係合部の外側面の外形状と同等の内側面を有した断面略Ｃ字状に形成される樹脂成形部材よりなることを特徴とする請求項１記載のシャッタースラットの構造。
【請求項３】
前記カバーは、前記第一の係合部の外側面を被覆する被覆部と、前記第一の係合部の係合縁及び屈曲部を被覆する当接被覆部とを備えることを特徴とする請求項１又は２記載のシャッタースラットの構造。
【請求項４】
前記スラット本体の一方の面と前記第一の係合部の外側面との間に奥拡がりな溝部が形成されるとともに、前記カバーの一方の側端縁に膨出部が形成され、該膨出部が前記溝部に嵌入することを特徴とする請求項１又は２又は３記載のシャッタースラットの構造。
【請求項５】
前記シャッタースラットの長手方向端縁部分における第一の係合部の前記シャッタースラット端縁から長手方向所定距離の位置に、シャッタースラットの長手方向に直交して該第一の係合部の前記係合縁側略半部に達する切込みが設けられ、切込み端縁を形成し、
前記第二の係合部を前記切込みに対応する位置から端縁までを切欠き、当接端縁を形成し、
前記第一の係合部の係合縁側略半部を前記スラット本体の一方の面側に折曲し、第一の係合部を歪曲形成して、前記切込み端縁を第一の係合部内方に突出させ、
前記当接端縁と隣接する他のシャッタースラットの第一の係合部の切込み端縁とを当接させることを特徴とする請求項１，２，３，４のいずれか１つに記載のシャッタースラットの構造。
【発明の詳細な説明】
【０００１】
【発明の属する技術分野】
本発明は、シャッターカーテンを構成するシャッタースラットの形状及びこれらシャッタースラットの連結構造の改良に関するものである。
【０００２】
【従来の技術】
建物などの開口部に設置されるシャッター装置を構成するシャッターカーテンは、左右に長尺な短冊板状のシャッタースラットを上下の長辺部分にて互いに連結されて構成される。そして、各シャッタースラットは、互いの連結部分で可動可能とされ、例えば開口部の上方に配置されるシャッターケースなどの収納部内にて、シャフトなどの軸体に巻き取られ収納が行われる。
【０００３】
【発明が解決しようとする課題】
しかしながら、シャッタースラットは、巻き取られる際に、連結部分が可動することで軸体に沿い、かつ渦巻き状となって重なるが、この巻き取り時に、内側面となるシャッタースラットの一方の面には、先に巻き取られているシャッタースラット同士の外側部分となる連結部分が角部分となって接触し、巻回状態となる。このことから、各シャッタースラットの一方の面は、他のシャッタースラットの連結部分によって傷がついたり、変形を起こしたり、シャッタースラットに塗装が施されている場合には、その塗膜が剥離したり、外観を損ねるおそれがある。
【０００４】
また、シャッタースラットは、一般に、鋼板やアルミ型材などの金属製であることから、その連結部分において、互いが擦れ合い、これにより不快な騒音が発生してしまうおそれがある。
【０００５】
さらに、シャッターカーテンを巻き取る際に、その巻き取りが進むにつれて軸体に近い巻回部分ほどシャッタースラット自体の重さが径方向にかかり、この巻回部分においてスラット同士の巻締めが発生し、このことからも、傷や変形が起こったり、この巻締め時の軋み音など騒音が発生するおそれがあった。
【０００６】
そこで、特開平１１−２４７５５０号公報に開示されているようなシャッタースラットの構造、すなわち、シャッタースラットの巻き取り時に内側面となる一方の面にゴムや合成樹脂などの軟質材を被覆した突起を設けた構造が考えられたが、各シャッタースラットの形状が特殊な形状となり容易に製造できない欠点を有し、また、軟質材を被覆させる施工が煩雑であり、簡素な構成のシャッタースラットが望まれていた。
【０００７】
そこで本発明は、上記問題点を解消するために、シャッターカーテンを繰り出す際や巻き取り収納する際などの動作中や、巻回状態となった停止中の際に各シャッタースラット同士で傷や変形を起こすことなく、シャッターとしての外観を損ねることを防止するシャッタースラットの構造とすることを目的とするとともに、シャッターカーテンの繰り出し時や巻き取り収納時に、各シャッタースラットの擦れ合いによる騒音の発生を低減させ、簡素な構成とすることのできるシャッタースラットの構造を提供することを目的としている。
【０００８】
【課題を解決するための手段】
次に、上記の課題を解決するための手段を、実施の形態に対応する図面を参照して説明する。
この発明のシャッタースラットの構造は、平板状に形成される短冊板形状のスラット本体７が、長辺部同士で可動可能に連結されるシャッタースラットの構造であって、
巻き取り時に内側面となるスラット本体７の一方の面８に突出し、該スラット本体７の一方の長辺部７ａに沿って形成され、該一方の長辺部７ａを兼ねる一方の開口縁部９ａと、該一方の開口縁部９ａと対向する他方の開口縁部９ｂとを有し、該他方の開口縁部９ｂに前記一方の開口縁部９ａより内方に向かって屈曲部１２を介して係合縁１３が延設され、隣接する他のシャッタースラット１に向いて開口する奥拡がりな断面略Ｃ字形状の第一の係合部９と、
前記スラット本体７の他方の長辺部７ｂに沿い、前記スラット本体７の一方の面８側に該スラット本体７の板面に対して斜めに延出して形成され、隣接する他のシャッタースラット１の第一の係合部９の内側に嵌入するとともに、前記スラット本体７の一方の面８側に折り返し略Ｖ字状に折曲形成され、先端縁１１ａが前記第一の係合部９内にて屈曲部１２に当接し前記係合縁１３と係合しあう第二の係合部１１と、
前記第一の係合部９の外側面９ｃを被覆する合成樹脂製のカバー２９と、
を具備することを特徴とする。
【０００９】
このような構成により、シャッターカーテン３を巻き取り、巻回した状態では、巻回状態の内側面側である一方の面８側に各係合部９，１１が突出することとなり、各シャッタースラット１の第一の係合部９の外側面９ｃにカバー２９が被覆するように設けられることから、先に巻き取られているシャッタースラット１の表面には第一の係合部９が直接接触することなく、その外側を覆うカバー２９が接触することとなり、すなわち金属同士が接触しないことから、順次巻き取られるシャッタースラット１は接触による傷や塗装面の剥離などの発生を防止する。
【００１０】
なお、前記カバー２９は、前記第一の係合部９の外側面９ｃの外形状と同等の内側面を有した断面略Ｃ字状に形成される樹脂成形部材よりなる別体構成としてもよく、また、前記カバー２９は、前記第一の係合部９の外側面９ｃを被覆する被覆部３０と、前記第一の係合部２９の係合縁１３及び屈曲部１２を被覆する当接被覆部３１とを備える構成、さらに、前記スラット本体７の一方の面８と前記第一の係合部９の外側面９ｃとの間に奥拡がりな溝部１５が形成されるとともに、前記カバー２９の一方の側端縁に膨出部３２が形成され、該膨出部３２が前記溝部１５に嵌入する構成としてもよい。
【００１１】
このような構成とすれば、巻回されて収納される際や繰り出される際などの動作中に、各シャッタースラット１同士の連結部分にて互いが可動するが、第一，第二の係合部９，１１間において、カバー２９が介在することから、各スラット１の素材である金属同士が擦れ合うことなく、樹脂素材による緩衝及び摺動が行われ、不快な音を発生させることを防止し、すなわち、シャッターカーテン３の開閉時の騒音の低減化が図れる。
【００１２】
また、上記したように、各シャッタースラット１の連結部分及び巻回状態におけるシャッタースラット１の表裏面の間の双方にカバー２９が介在されることとなり、緩衝等が行われることから、シャッターカーテン３の巻き取りの際や繰り出す際などの動作中、或いは巻回状態となった停止中などに発生する巻き締めによる軋み音なども緩和されることとなる。
【００１３】
また、この発明のシャッタースラットの構造では、前記シャッタースラット１の長手方向端縁部分における第一の係合部９の前記シャッタースラット端縁から長手方向所定距離の位置に、シャッタースラット１の長手方向に直交して該第一の係合部９の前記係合縁側略半部に達する切込み１９が設けられ、切込み端縁２３を形成し、
前記第二の係合部１１を前記切込み１９に対応する位置から端縁までを切欠き、当接端縁２１を形成し、
前記第一の係合部９の係合縁側略半部を前記スラット本体７の一方の面８側に折曲し、第一の係合部９を歪曲形成して、前記切込み端縁２３を第一の係合部９内方に突出させ、
前記当接端縁２１と隣接する他のシャッタースラット１の第一の係合部９の切込み端縁２３とを当接させることを特徴とする。
【００１４】
このような構成によれば、切込み１９の端縁２３に、隣接して連結された他のシャッタースラット１の第二の係合部１１の当接端縁２１が対向し、そして、シャッタースラット１の両端にそれぞれ構成することで、この第二の係合部１１の両端が、第一の係合部９の両端に位置する各切込み端縁２３の間に配置されることとなり、第一の係合部９に対して第二の係合部１１が長手方向のスライド移動を規制される。すなわち連結された各シャッタースラット１，１が、各係合部９，１１による連結部分において互いに長手方向に抜け落ちることがなくなる。
【００１５】
【発明の実施の形態】
図１は本発明によるシャッタースラットの構造の実施の形態を示す分解斜視図、図２は同シャッタースラットより構成されるシャッターカーテンの側面図、図３は同シャッタースラットの連結状態を示す側面図、図４は同シャッタースラットの端縁部分における側面図及び背面図である。
【００１６】
本発明のシャッタースラット１より構成されるシャッターカーテン３は、本実施の形態では、例えば建物の開口の上縁に配設されるシャッターボックス（図示せず）内に水平に配設される巻取軸５に巻き取られることで収納され、このシャッターカーテン３が昇降することで建物開口の開閉が行われる。
【００１７】
巻取軸５は、例えば中空パイプ状に形成され、その外周面に吊元部材を介してシャッターカーテン３が連結され、シャッターカーテン３が巻回されるようになっている。
なお、吊元部材は、シャッターカーテン３を構成するシャッタースラット１と別構造の板状部材としてもよく、また、シャッタースラット１自体を巻取軸５にボルトなどの締結固定部材にて固定することで吊元部材としても良く、本実施の形態では、図６に示すように、後述するシャッタースラット１自体を吊元部材として用いるとともに、巻取軸５の直径によっては、シャッタースラット１の中途部分を折曲して、巻取軸５の外周面に沿うように形成し、構成しても良い。
【００１８】
本実施の形態のシャッターカーテン３は、図２，３に示すように、鋼板などの金属製板素材が用いられ、平板状で左右に長尺な短冊板状に形成されるシャッタースラット１が、上下の長辺部同士を連結した構成とされる。
【００１９】
シャッタースラット１は、図１に示すように、平板状のスラット本体７と、スラット本体７の下縁となる一方の長辺部としての下長辺部７ａに一体的に形成される第一の係合部９と、スラット本体７の上縁となる他方の長辺部としての上長辺部７ｂに一体的に形成される第二の係合部１１と備えている。
【００２０】
第一の係合部９は、シャッターカーテン３として巻き取られる際に内側面となるスラット本体７の一方の面としての裏面８に突出し、このスラット本体７の下長辺部７ａに沿って形成される。この第一の係合部９は、下長辺部７ａを兼ねる一方の開口縁部９ａと、一方の開口縁部９ａと対向する他方の開口縁部９ｂとを有する奥拡がりな断面略Ｃ字状に形成される。他方の開口縁部９ｂには、一方の開口縁部９ａより内方に向かって屈曲部１２を介して係合縁１３が延設される。そして、隣接する他のシャッタースラット１、すなわち下方に位置するシャッタースラット１に向いてスリット状に開口する。
【００２１】
なお、スラット本体７の下長辺部７ａに位置する第一の係合部９の外側面９ｃとスラット本体７の裏面８との間には、間隙を備え、図３，４に示すように上方が開口する溝部１５が形成され、本実施の形態では奥拡がりに形成される。
【００２２】
第二の係合部１１は、スラット本体７の上長辺部７ｂに沿い、スラット本体７の裏面８側にスラット本体８の板面に対して斜め上方に延出して形成される。この第二の係合部１１は、本実施の形態では、図１及び図４（ａ）に示すように、スラット本体７に対して斜めに延出するとともに、断面略ｗ字状の波形に形成され、またその先端縁１１ａがスラット本体７の裏面８側に鋭角に折り返され略鉛直方向に延び略Ｖ字状に折曲形成される。
【００２３】
そして、この第二の係合部１１は、隣接する他のシャッタースラット１、すなわち上方に位置するシャッタースラット１の第一の係合部９の内側に嵌入し、先端縁１１ａが前記第一の係合部９内にて屈曲部１２に上方から当接し係合縁１３と係合しあう。
【００２４】
なお、この第二の係合部１１の波状形成部分は、図３に示すように、第一の係合部９に嵌入されスラット１同士が連結状態となった際に、第一の係合部９の一方の開口縁部９ａの外側面に対応した湾曲面となり、各スラット１が上下に連なって連結した状態となると各スラット本体７表面が略面一になる。
【００２５】
また、シャッタースラット１には、図４に示すように、シャッタースラット１の長手方向端縁部分における第一の係合部９のシャッタースラット１１端縁から長手方向所定距離の位置に、シャッタースラット１の長手方向に直交して第一の係合部９の係合縁１３側略半部に達する切込み１９が形成され、また、図４に示すように、第二の係合部１１を上記切込み１９に対応する位置からシャッタースラット１の長手方向端縁までを略矩形状に切欠き、第二の係合部１１に当接端縁２１が形成される。
【００２６】
これら切込み１９と当接端縁２１は、各シャッタースラット１を第一，第二の係合部９，１１同士で連結した状態で、長手方向に互いに抜け落ちないようにする規制手段とされる。
【００２７】
すなわち、各シャッタースラット１を各係合部９，１１にて連結した後に、予め形成される上記切込み１９の位置から第一の係合部９の端縁までを、切込み１９の深さの位置でスラット本体７の裏面８側に工具などを用いてかしめるように折曲し、略Ｃ字状の第一の係合部９を中途で折り曲げ歪曲形成し、この切込み１９により形成された片状部分１７を第一の係合部９内方に突出させ、この切込み端縁２３に、隣接して連結された他のシャッタースラット１の第二の係合部１１の当接端縁２１を対向させる。これにより第二の係合部１１の両端は、第一の係合部９の両端に設けられた各切込み端縁２３の間に配置されることとなり、第一の係合部９に対して第二の係合部１１が長手方向のスライド移動を規制され、すなわち連結された各シャッタースラット１が互いに長手方向に抜け落ちることがなくなる。
【００２８】
なお、上記したが、各シャッタースラット１で構成されるシャッターカーテン３の上端と巻取軸５とを連結する吊元部材として、シャッタースラット１を用いる場合には、このシャッタースラット１自体と巻取軸５とをボルトなどの固定部材２５にて固定するが（図６参照）、巻取軸５の直径が比較的小径な場合などには、シャッタースラット１のスラット本体７中途部、好ましくは第二の係合部１１に近接した位置を所定角度、例えば１５０°程度に折曲したスラット部材２を用い、このスラット部材２と、シャッタースラット１とを組合せ、図７（ｂ）に示すように、スラット部材２を１つ若しくは複数、巻取軸５にボルト２５などで固定し、このスラット部材２にシャッタースラット１を連結して構成したり、図７（ａ）に示すように、シャッタースラット１を巻取軸５に固定し、このシャッタースラット１にスラット部材２を連結させ、さらにこのスラット部材２にシャッタスラット１を連結させるなど、適宜組合せ、巻取軸５とシャッタカーテン３とを連結させる。このようなスラット本体７中途部が所定角度折曲したスラット部材２によれば、巻取軸５に巻回された状態での連結部分の径方向の突出長さが小さくなり、その外側に巻回されるシャッターカーテン３（シャッタースラット１）の裏面８に連結部分の外側が接触することがなく、損傷などを起こすことがない。
【００２９】
次に、本発明のシャッタースラットの構造を構成するカバー２９について説明する。
カバー２９は、耐衝撃性，耐摩耗性に優れた硬質な合成樹脂材よりなり、シャッタースラット１の一方の係合部を被覆するように設けられる。本実施の形態のカバー２９は、シャッタースラット１の下縁に位置する第一の係合部９の外側面９ｃを被覆する。
【００３０】
このカバー２９は、図１に示すように、第一の係合部９の外側面９ｃの外形状と同等の内側面を有した断面略Ｃ字状に形成されるとともに、この第一の係合部９の外側面９ｃを被覆する被覆部３０と、被覆部３０の端縁から延出し第一の係合部９ｃの係合縁１３及び屈曲部１２を被覆する略Ｌ字状の当接被覆部３１とを備えた形状となっている。また、当接被覆部３１と反対の側端縁には、断面略円形の膨出部３２が形成されている。
【００３１】
そして、このカバー２９は、各シャッタースラット１同士を各係合部９，１１にて連結する以前に、各シャッタースラット１の第一の係合部９に取り付けられる。この第一の係合部９に取り付けられた状態は、図３に示すように、膨出部３２が、スラット本体７の裏面８と、第一の係合部９の外側面９ｃとの間の溝部１５に嵌入され、スラット本体７の裏面８と第一の係合部９の外側面９ｃとの間隙に位置し、第一の係合部９の外側面９ｃ全体を覆うとともに、この第一の係合部９の係合縁１３及び屈曲部１２を覆うようになっている。
【００３２】
また、このカバー２９が第一の係合部９に取り付けられた状態での各シャッタースラット１同士の連結状態は、図３及び図５に示すように、カバー２９の当接被覆部３１で覆われている屈曲部１２の位置に、第二の係合部１１の先端縁１１ａが当接し、この先端縁１１ａと係合縁１３とで係合しあい、各シャッタースラット１が連結状態となる。すなわち、各シャッタースラット１の係合部分において、カバー２９の当接被覆部３１が介在することとなる。
【００３３】
次に、上記構成のシャッタースラット１のシャッターカーテン組立手順について図８乃至図１２を用いて説明する。
まず、シャッタースラット１の第一係合部９にカバー２９を取り付ける。
カバー２９は、シャッタースラット１と略同等の長さであり、シャッタースラット１の一方の端部より図８に示すようにスライドさせながら（図中矢線）溝部１５に膨出部３２を嵌入させるとともに、係合縁１３に当接被覆部３１を沿わせ、かつ、第一の係合部９の外側を被覆させるように装着させる。
装着されたカバー２９は、図９に示すように、第一の係合部９の両端近傍に予め形成されている各切込み１９間に配置される。
【００３４】
次に、上記シャッタースラット１の下方に接続される他のシャッタースラット１の第二の係合部１１を、図１０に示すように、第一の係合部９に嵌入させ連結する。この第二の係合部１１の第一の係合部９への嵌入手順においても、上記カバー２９の取り付けと同様に、シャッタースラット１の長手方向端部よりスライドさせながら嵌入を行う。
【００３５】
次に、図１１に示すように、嵌入され互いが係合状態となって連結された各シャッタースラット１，１は、その第一の係合部９の両端に形成される切込み１９より端縁側の部分である片状部分１７を工具などを用いて図１２に示すようにかしめ、この第一の係合部９の略半部を内方に突出させるように歪曲形成させる。
【００３６】
これにより、この切込み１９の端縁２３に、隣接して連結された他のシャッタースラット１の第二の係合部１１の当接端縁２１が対向し、そして、この第二の係合部１１の両端が、第一の係合部９の両端に位置する各切込み端縁２３の間に配置されることとなり、第一の係合部９に対して第二の係合部１１が長手方向のスライド移動を規制される。すなわち連結された各シャッタースラット１，１が、各係合部９，１１による連結部分において互いに長手方向に抜け落ちることがない。
【００３７】
従ってこのように構成されたシャッタースラットの構造でのシャッターカーテン３では、収納部に収納される際や収納部から繰り出される際に、各シャッタースラット１同士の連結部分にて図５に示すように可動するが、第一，第二の係合部９，１１間において、カバー２９が介在することから、各スラット１の素材である金属同士が擦れ合うことなく、樹脂素材による緩衝及び摺動が行われ、不快な音を発生させることがなく、すなわち、シャッターカーテン３の開閉時の騒音の低減化が図れる。
【００３８】
また、シャッターカーテン３を巻き取り、巻回した状態では、内側面側（裏面８側）に各係合部９，１１が図２に示すように突出するが、各シャッタースラット１の第一の係合部９の外側面９ｃにカバー２９が被覆するように設けられることから、先に巻き取られているシャッタースラット１の表面には第一の係合部９が直接接触することなく、その外側を覆うカバー２９が接触することとなり、すなわち金属同士が接触しないことから、順次巻き取られるシャッタースラット１は接触による傷や塗装面の剥離などが発生しない。
【００３９】
さらに、上記したように、各シャッタースラット１の連結部分及び巻回状態におけるシャッタースラット１の表裏面の間の双方にカバー２９が介在され、緩衝等が行われることから、シャッターカーテン３の巻き取りの際などの動作中に発生する巻き締めによる軋み音なども緩和されることとなる。
【００４０】
そして、このような騒音の低減化が図れ、傷などを発生させないシャッタースラット１の構造を、シャッターカーテン３の製造工程である各スラット１の連結時にカバー２９を挿入し介設させ、シャッタースラット１の一方の係合部である第一の係合部９にカバー２９を被覆させるという容易な工程で実現させることができ、作業性の向上を図ることが可能であり、コスト低減にもなる。
【００４１】
さらに、各シャッタースラット１の連結部分にカバー２９を介在させたことにより、シャッターカーテン３で建物開口を閉鎖状態とした所謂全閉状態とした際における強風などによる揺れや煽りが発生しても、各スラット１の振動音（風振音）等が軽減され、すなわち、シャッターカーテン３の閉鎖状態における騒音も低減できることとなる。
【００４２】
なお、上述した実施の形態では、シャッタースラット１の下縁を第一の係合部９とし上縁を第二の係合部１１として、第一の係合部９にカバー２９を設ける構成とした例について述べたが、シャッタースラット１の上縁を第一の係合部とし、ここにカバーを設ける構成としてもよく、また、シャッタースラット１の連結方向を上下ではなく、左右方向や水平方向など、その他の方向としてもよい。
【００４３】
【発明の効果】
以上説明したように本発明によるシャッタースラットの構造では、シャッターカーテンとして巻回され収納する際や、繰り出される際などの動作中に、各シャッタースラット同士の連結部分にて可動するが、第一，第二の係合部間において、カバーが介在することから、各スラットの素材である金属同士が擦れ合うことを防止し、合成樹脂素材による緩衝及び摺動が行われ、不快な音を発生させることを防止し、すなわち、シャッターカーテンの開閉時の騒音の低減化が図れるという効果を得られる。
【００４４】
また、シャッターカーテンを巻き取り、巻回した停止中の状態では、巻回状態における内側面側である一方の面側に各係合部が突出するが、各シャッタースラットの第一の係合部の外側面にカバーが被覆するように設けられることから、先に巻き取られているシャッタースラットの表面には第一の係合部が直接接触することなく、その外側を覆うカバーが接触することとなり、すなわち金属同士が接触しないことから、順次巻き取られるシャッタースラットは接触による傷や塗装面の剥離などの発生を防止する。
【００４５】
さらに、これらのことから、各シャッタースラットの連結部分及び巻回状態におけるシャッタースラットの表裏面の間の双方にカバーが介在され、緩衝等が行われることから、シャッターカーテンの巻き取りの際や繰り出しの際の動作中などに発生する巻き締めによる軋み音なども緩和されるという効果を得られる。
【００４６】
そして、このような騒音の低減化が図れ、傷などの発生を防止したシャッタースラットの構造を、シャッターカーテンの製造工程である各スラットの連結時に、別体構成のカバーを挿入し介設させ、シャッタースラットの一方の係合部である第一の係合部にカバーを被覆させるという容易な工程で実現させることができ、作業性の向上を図ることが可能であり、コスト低減にもなる。
【００４７】
また、各シャッタースラットを各係合部にて連結した後に、予め形成される切込みの位置から第一の係合部の端縁までを、切込みの深さの位置でスラット本体の一方の面側に工具などを用いてかしめるように折曲し、略Ｃ字状の第一の係合部を中途で折り曲げ歪曲形成し、この切込みにより端縁側を第一の係合部内方に突出させ、この切込み端縁に、隣接して連結された他のシャッタースラットの第二の係合部の当接端縁を対向させることとしたことで、第二の係合部の両端は、第一の係合部の両端に設けられた各切込み端縁の間に配置されることとなり、第一の係合部に対して第二の係合部が長手方向のスライド移動を規制され、すなわち連結された各シャッタースラットが互いに長手方向に抜け落ちることがなくなるという効果がある。
【図面の簡単な説明】
【図１】本発明によるシャッタースラットの構造の実施の形態を示す分解斜視図である。
【図２】同シャッタースラットより構成されるシャッターカーテンの側面図である。
【図３】同シャッタースラットの連結状態を示す側面図である。
【図４】（ａ）同シャッタースラットの端縁部分における側面図である。
（ｂ）同シャッタースラットの端縁部分における背面図である。
【図５】同シャッタースラットの連結部分を拡大した側面図である。
【図６】同シャッタースラットより構成されるシャッターカーテンの巻回状態を示す側面図である。
【図７】同シャッタースラットより構成されるシャッターカーテンの巻回状態を示す側面図である。
【図８】同シャッタースラットの連結手順を示す斜視図である。
【図９】同シャッタースラットの連結手順を示す斜視図である。
【図１０】同シャッタースラットの連結手順を示す斜視図である。
【図１１】同シャッタースラットの連結手順を示す斜視図である。
【図１２】同シャッタースラットの連結手順を示す斜視図である。
【符号の説明】
１…シャッタースラット
３…シャッターカーテン
７…スラット本体
７ａ…一方の長辺部（下長辺部）
７ｂ…他方の長辺部（上長辺部）
８…一方の面（裏面）
９…第一の係合部
９ａ…一方の開口縁部
９ｂ…他方の開口縁部
９ｃ…外側面
１１…第二の係合部
１１ａ…先端縁
１２…屈曲部
１３…係合縁
１５…溝部
１９…切込み
２１…当接端縁
２３…端縁（切込み端縁）
２９…カバー
３０…被覆部
３１…当接被覆部
３２…膨出部
【図１】
2004084162.tif 000003
【図２】
2004084162.tif 000004
【図３】
2004084162.tif 000005
【図４】
2004084162.tif 000006
【図５】
2004084162.tif 000007
【図６】
2004084162.tif 000008
【図７】
2004084162.tif 000009
【図８】
2004084162.tif 000010
【図９】
2004084162.tif 000011
【図１０】
2004084162.tif 000012
【図１１】
2004084162.tif 000013
【図１２】
2004084162.tif 000014